(57)【要約】【課題】  包括的な検索を実現するための利便を追求し、ユーザの利便を格段に向上させることができる携帯電話端末機用の情報検索システムを提供する。【解決手段】  情報検索システムにおける情報検索サーバは、携帯電話端末機によって入力された検索条件を登録し、登録した検索条件と合致又は類似する検索条件についての新たな検索結果が発見された場合に、その旨を当該携帯電話端末機に対して通知する、という予約検索機能を備える。【選択図】  図２６
2006189978.tif 000002
【特許請求の範囲】
【請求項１】
ウェブサイトを検索する情報検索システムであって、
携帯電話端末機と、
上記携帯電話端末機からの要求に応じて、当該携帯電話端末機によってアクセス可能なウェブサイトの検索を行う情報検索サーバと、
上記情報検索サーバの検索対象としてのウェブサイトを開設している複数のウェブサーバとを備え、
上記情報検索サーバは、上記携帯電話端末機によって入力された検索条件を登録し、登録した検索条件と合致又は類似する検索条件についての新たな検索結果が発見された場合に、その旨を上記携帯電話端末機に対して通知すること
を特徴とする情報検索システム。
【請求項２】
上記情報検索サーバは、上記携帯電話端末機によって入力された検索条件と当該携帯電話端末機の電子メールアドレスとを対応付けて登録し、上記新たな検索結果が発見された場合に、その旨が掲載された電子メールを上記携帯電話端末機の電子メールアドレス宛てに送信すること
を特徴とする請求項１記載の情報検索システム。
【請求項３】
上記情報検索サーバは、定期的にロボット型検索を行う際に、登録された検索条件の中から、今回検索を行う検索条件と関連する検索条件を抽出し、抽出した検索条件に該当するウェブページ及び／又はコンテンツを発見すると、その一覧を作成するとともに、検索結果としての上記一覧を閲覧するためのＵＲＬが掲載された電子メールを上記携帯電話端末機の電子メールアドレス宛てに送信すること
を特徴とする請求項２記載の情報検索システム。
【請求項４】
上記情報検索サーバは、上記ウェブサーバが開設しているウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断し、判断したコンテンツの種別に基づいて、検索結果を示す情報を上記携帯電話端末機に対して送信すること
を特徴とする請求項１乃至請求項３のうちいずれか１項記載の情報検索システム。
【請求項５】
携帯電話端末機からの要求に応じて、当該携帯電話端末機によってアクセス可能なウェブサイトを検索する情報検索サーバであって、
上記携帯電話端末機によって入力された検索条件を登録する手段と、
検索対象としてのウェブサイトを開設している複数のウェブサーバにアクセスする手段と、
登録された上記検索条件と合致又は類似する検索条件についての新たな検索結果が発見された場合に、その旨を上記携帯電話端末機に対して通知する手段とを備えること
を特徴とする情報検索サーバ。
【請求項６】
携帯電話端末機からの要求に応じて、当該携帯電話端末機によってアクセス可能なウェブサイトを検索する情報検索方法であって、
上記携帯電話端末機によって入力された検索条件を登録する工程と、
検索対象としてのウェブサイトを開設している複数のウェブサーバにアクセスする工程と、
登録された上記検索条件と合致又は類似する検索条件についての新たな検索結果が発見された場合に、その旨を上記携帯電話端末機に対して通知する工程とを備えること
を特徴とする情報検索方法。
【請求項７】
携帯電話端末機からの要求に応じて、当該携帯電話端末機によってアクセス可能なウェブサイトを検索するコンピュータ実行可能な情報検索プログラムであって、
上記携帯電話端末機によって入力された検索条件を登録する処理と、
検索対象としてのウェブサイトを開設している複数のウェブサーバにアクセスする処理と、
登録された上記検索条件と合致又は類似する検索条件についての新たな検索結果が発見された場合に、その旨を上記携帯電話端末機に対して通知する処理とを備えること
を特徴とする情報検索プログラム。
【発明の詳細な説明】
【技術分野】
【０００１】
本発明は、携帯電話端末機によってアクセス可能なウェブサイトを検索する情報検索システム、情報検索サーバ、情報検索方法、及び情報検索プログラムに関する。
【背景技術】
【０００２】
近年、携帯電話端末機が著しく普及しているが、かかる普及は、通話機能のみならず、インターネットへの接続や電子メールの授受等の機能を搭載したことが大きな理由とされている。
【０００３】
携帯電話端末機は、着信用のメロディや待ち受け用の画像等をユーザが嗜好に応じてカスタマイズすることによって用いられることが多い。また、携帯電話端末機は、近年の高機能化にともない、動画像の表示やゲーム等のアプリケーションプログラムの実行を可能とするものが多数提供されている。これにともない、これら着信用のメロディ等の音声データ、待ち受け用の画像データ、再生可能な動画像データ、さらにはゲームをはじめとするアプリケーションプログラムといった様々なコンテンツを提供するウェブサイトが多数開設されており、携帯電話端末機においては、これらウェブサイトを介して、ユーザが所望のコンテンツをダウンロードすることによって利用することが可能となっている。
【０００４】
また、近年では、コンテンツを提供するウェブサイトの増加による検索の手間を低減するために、所望のコンテンツを検索するためのウェブサイトも提供されている。かかる検索の手法としては、例えば特許文献１及び特許文献２に記載された技術が提案されている。
【０００５】
【特許文献１】特開２００３−９９０７１号公報
【特許文献２】特開２００２−１２３５３９号公報
【０００６】
具体的には、特許文献１には、複数の楽曲が登録された音楽サーバと、この音楽サーバと双方向通信可能に接続され受信情報を表示する表示手段を有するとともに音符情報が入力可能な携帯電話等の通信装置とを備えた楽曲検索システムが開示されている。特に、この楽曲検索システムにおいて、通信装置は、入力された所望の音符情報を音符データに変換しこのデータを音楽サーバに対して送信する音符データ送信手段を有し、音楽サーバは、通信装置から送信された音符データに基づいて登録楽曲中から該当楽曲を照合する照合手段と、通信装置に対して照合結果を送信する照合結果送信手段とを有し、照合結果送信手段によって送信された照合結果が通信装置の表示手段に表示されるものである。これにより、この楽曲検索システムにおいては、曲名は分からなくても記憶している曲の旋律に基づいて、着信メロディデータの検索 、取得、及び音楽コンテンツの購入等を行うことができるとしている。
【０００７】
また、特許文献２には、インターネットを介してコンテンツサーバに接続された端末を用いてゲームを実行しながら情報を検索する情報検索方法が開示されている。特に、この情報検索方法においては、コンテンツサーバからゲームページデータを端末に対して送信するのに応じて、端末がそのゲームページデータにしたがってゲームを実行する。そして、この情報検索方法においては、コンテンツサーバから得られたゲーム結果をキーワードとして若しくはゲーム結果に基づいて得られたキーワードを使用して、検索プログラムを有する検索サイトにアクセスして目的のサイトを検索し、その検索結果のページデータを端末に対して送信するものである。これにより、この情報検索方法においては、ユーザが直接欲する情報を得たいがためにのみ検索エンジンを利用するのではなく、ゲームを楽しみながらユーザにとって相応しいと思われる情報を取得することができるとしている。
【発明の開示】
【発明が解決しようとする課題】
【０００８】
しかしながら、上述した特許文献１及び特許文献２に記載された技術は、決められたサーバに登録されたコンテンツのみを検索範囲としていることから、当該サーバによって提供されるウェブサイトの存在を知らない場合や、同様のコンテンツを提供する複数のウェブサイトから所望のコンテンツを検索する場合には適用することができないものであった。
【０００９】
また、携帯電話端末機においては、検索結果として該当するコンテンツが存在しなかった場合には、他の検索条件を用いて再度検索しなおすか、検索を諦めざるを得ず、使い勝手が悪い感が否めないものであった。
【００１０】
本発明は、このような実情に鑑みてなされたものであり、包括的な検索を実現するための利便を追求し、ユーザの利便を格段に向上させることができる情報検索システム、情報検索サーバ、情報検索方法、及び情報検索プログラムを提供することを目的とする。
【課題を解決するための手段】
【００１１】
上述した目的を達成する本発明にかかる情報検索システムは、ウェブサイトを検索する情報検索システムであって、携帯電話端末機と、上記携帯電話端末機からの要求に応じて、当該携帯電話端末機によってアクセス可能なウェブサイトの検索を行う情報検索サーバと、上記情報検索サーバの検索対象としてのウェブサイトを開設している複数のウェブサーバとを備え、上記情報検索サーバは、上記携帯電話端末機によって入力された検索条件を登録し、登録した検索条件と合致又は類似する検索条件についての新たな検索結果が発見された場合に、その旨を上記携帯電話端末機に対して通知することを特徴としている。
【００１２】
このような本発明にかかる情報検索システムにおいては、携帯電話端末機によって入力された検索条件と合致又は類似する検索条件についての新たな検索結果が発見された場合に、その旨を携帯電話端末機に対して通知することから、入力された検索条件についての検索結果が０件であった場合であっても、ユーザが自発的に検索をやりなおしたり中止したりすることなく、事実上検索を継続することができる。
【００１３】
具体的には、上記情報検索サーバは、上記携帯電話端末機によって入力された検索条件と当該携帯電話端末機の電子メールアドレスとを対応付けて登録し、上記新たな検索結果が発見された場合に、その旨が掲載された電子メールを上記携帯電話端末機の電子メールアドレス宛てに送信する。そして、上記情報検索サーバは、定期的にロボット型検索を行う際に、登録された検索条件の中から、今回検索を行う検索条件と関連する検索条件を抽出し、抽出した検索条件に該当するウェブページ及び／又はコンテンツを発見すると、その一覧を作成するとともに、検索結果としての上記一覧を閲覧するためのＵＲＬが掲載された電子メールを上記携帯電話端末機の電子メールアドレス宛てに送信する。
【００１４】
なお、上記情報検索サーバは、上記ウェブサーバが開設しているウェブサイトによって提供される上記携帯電話端末機によってダウンロード可能なコンテンツが掲載又はリンクされているウェブページを記述している言語の記述子及び／又は上記コンテンツを構成するファイルの拡張子に基づいて、当該コンテンツの種別を判断し、判断したコンテンツの種別に基づいて、検索結果を示す情報を上記携帯電話端末機に対して送信する。
【００１５】
これにより、本発明にかかる情報検索システムにおいては、コンテンツが掲載又はリンクされているウェブページではなく、コンテンツそのものが格納されている場所を特定することができることから、検索結果として、コンテンツが掲載又はリンクされているウェブページの一覧リストのみならず、コンテンツそのものの一覧リストを携帯電話端末機の表示画面に表示することができる。したがって、本発明にかかる情報システムにおいては、ユーザの負担を強いることなく、所望のコンテンツを極めて容易に検索することができる。
【００１６】
また、上述した目的を達成する本発明にかかる情報検索サーバは、携帯電話端末機からの要求に応じて、当該携帯電話端末機によってアクセス可能なウェブサイトを検索する情報検索サーバであって、上記携帯電話端末機によって入力された検索条件を登録する手段と、検索対象としてのウェブサイトを開設している複数のウェブサーバにアクセスする手段と、登録された上記検索条件と合致又は類似する検索条件についての新たな検索結果が発見された場合に、その旨を上記携帯電話端末機に対して通知する手段とを備えることを特徴としている。
【００１７】
さらに、上述した目的を達成する本発明にかかる情報検索方法は、携帯電話端末機からの要求に応じて、当該携帯電話端末機によってアクセス可能なウェブサイトを検索する情報検索方法であって、上記携帯電話端末機によって入力された検索条件を登録する工程と、検索対象としてのウェブサイトを開設している複数のウェブサーバにアクセスする工程と、登録された上記検索条件と合致又は類似する検索条件についての新たな検索結果が発見された場合に、その旨を上記携帯電話端末機に対して通知する工程とを備えることを特徴としている。
【００１８】
さらにまた、上述した目的を達成する本発明にかかる情報検索プログラムは、携帯電話端末機からの要求に応じて、当該携帯電話端末機によってアクセス可能なウェブサイトを検索するコンピュータ実行可能な情報検索プログラムであって、上記携帯電話端末機によって入力された検索条件を登録する処理と、検索対象としてのウェブサイトを開設している複数のウェブサーバにアクセスする処理と、登録された上記検索条件と合致又は類似する検索条件についての新たな検索結果が発見された場合に、その旨を上記携帯電話端末機に対して通知する処理とを備えることを特徴としている。
【００１９】
このような本発明にかかる情報検索サーバ、情報検索方法、及び情報検索プログラムにおいては、携帯電話端末機によって入力された検索条件と合致又は類似する検索条件についての新たな検索結果が発見された場合に、その旨を携帯電話端末機に対して通知することから、入力された検索条件についての検索結果が０件であった場合であっても、ユーザが自発的に検索をやりなおしたり中止したりすることなく、事実上検索を継続することが可能となる。
【発明の効果】
【００２０】
本発明においては、入力された検索条件についての検索結果が０件であった場合であっても、ユーザが自発的に検索をやりなおしたり中止したりすることなく、事実上検索を継続することができる、という包括的な検索を実現することができ、ユーザの利便を格段に向上させることができる。
【発明を実施するための最良の形態】
【００２１】
以下、本発明を適用した具体的な実施の形態について図面を参照しながら詳細に説明する。
【００２２】
この実施の形態は、携帯電話端末機によってアクセス可能なウェブサイトを検索する情報検索システムである。特に、この情報検索システムは、複数のウェブサーバが開設しているウェブサイトによって提供される携帯電話端末機によってダウンロード可能なコンテンツを一括して検索することができるものであり、包括的な検索を実現するための利便を追求したものである。
【００２３】
情報検索システムは、図１に示すように、ユーザが所持する携帯電話端末機１０と、この携帯電話端末機１０からの要求に応じてウェブサイトの検索を行う情報検索サーバ２０と、この情報検索サーバ２０の検索対象としてのウェブサイトを開設している複数のウェブサーバ３０，・・・とを備える。
【００２４】
携帯電話端末機１０は、インターネットに接続可能ないわゆるブラウザフォンとして構成され、携帯電話網を介して図示しないゲートウェイサーバと接続される。ゲートウェイサーバは、インターネット網を介して情報検索サーバ２０やウェブサーバ３０，・・・と接続される。したがって、携帯電話端末機１０は、このようなゲートウェイサーバとの間で所定のプロトコルにしたがって通信を行うことにより、情報検索サーバ２０やウェブサーバ３０，・・・と接続可能とされる。携帯電話端末機１０は、後に詳述するように、情報検索サーバ２０によって提供される検索を行うための所定の検索サイトにアクセスすることにより、複数のウェブサーバ３０，・・・によって提供されるコンテンツを検索することができる。
【００２５】
情報検索サーバ２０は、コンピュータ実行可能な所定の情報検索プログラムを実行することにより、複数のウェブサーバ３０，・・・が開設しているウェブサイトを巡回してその情報を収集するいわゆるロボット型検索を行うものとして構成される。具体的には、情報検索サーバ２０は、携帯電話端末機１０によってアクセス可能な検索サイトを開設し、当該携帯電話端末機１０からのアクセスに応じて、当該検索サイトのウェブページを当該携帯電話端末機１０の表示画面に表示させる。そして、情報検索サーバ２０は、携帯電話端末機１０の表示画面に表示されたウェブページを介して入力された情報に基づいて、複数のウェブサーバ３０，・・・が開設しているウェブサイトにアクセスし、当該ウェブサイトによって提供される、携帯電話端末機１０によって視聴可能な音声データ、画像データ、動画像データ、及び／又は当該携帯電話端末機１０によって実行可能なゲームアプリケーションプログラムといった、コンテンツが掲載又はリンクされているアドレス（ＵＲＬ（Uniform Resource Locator））と当該キーワードとを関連付けた検索インデックスを作成する。また、情報検索サーバ２０は、携帯電話端末機１０の表示画面に表示されたウェブページを介して入力された検索条件についての検索結果が０件であった場合等に対応するために、将来、当該検索条件と合致又は類似する検索条件についての新たな検索結果が発見された場合にユーザに通知する予約検索機能を備える。さらに、情報検索サーバ２０は、携帯電話端末機１０の表示画面に表示されたウェブページを介して入力されたキーワードに関する情報を蓄積し、検索時に入力されたキーワードと関連性が高い過去に入力された他のキーワードを抽出し、その統計情報を携帯電話端末機１０の表示画面に表示させる。
【００２６】
ウェブサーバ３０，・・・は、携帯電話端末機１０によってダウンロード可能な各種コンテンツの紹介や当該コンテンツに対するリンク等を記述したウェブサイトを開設する。例えば、ウェブサーバ３０，・・・は、携帯電話端末機１０によって利用可能な各種コンテンツとして、携帯電話端末機１０の着信用のメロディ等の音声データ、携帯電話端末機１０の待ち受け用の画像データ、携帯電話端末機１０によって再生可能な動画像データ、及び／又は携帯電話端末機１０によって実行可能なゲームをはじめとするアプリケーションプログラムを格納する。そして、ウェブサーバ３０，・・・は、これらコンテンツの紹介や当該コンテンツに対するリンク等を記述したウェブサイトにアクセスしてきた携帯電話端末機１０からの要求に応じて、これらコンテンツをダウンロードする。なお、ウェブサーバ３０，・・・は、情報検索サーバ２０によるロボット型検索の対象として設けられるものであり、情報検索サーバ２０による巡回に応じて、ウェブサイトの情報を当該情報検索サーバ２０に対して提供する。
【００２７】
このような携帯電話端末機１０、情報検索サーバ２０、及びウェブサーバ３０，・・・から構成される情報検索システムは、ウェブサーバ３０，・・・に開設されている携帯電話端末機１０によってアクセス可能なウェブサイトを情報検索サーバ２０によって検索する。
【００２８】
情報検索サーバ２０は、図２に示すように、少なくとも、各部を統括的に制御する制御部２１と、各種プログラムを含む各種情報を格納する読み取り専用のＲＯＭ（Read Only Memory）２２と、ワークエリアとして機能するＲＡＭ（Random Access Memory）２３と、各種情報を読み出し及び／又は書き込み可能に記憶する記憶部２４と、携帯電話端末機１０やウェブサーバ３０，・・・との間で通信を行う通信部２５とを有する。
【００２９】
制御部２１は、例えばＣＰＵ（Central Processing Unit）等から構成され、ＲＯＭ２２に格納されている情報検索プログラムをはじめとする各種プログラムを実行し、各部を統括的に制御する。
【００３０】
ＲＯＭ２２は、情報検索プログラムをはじめとする各種情報を格納している。このＲＯＭ２２に格納されている情報は、制御部２１の制御のもとに読み出される。
【００３１】
ＲＡＭ２３は、制御部２１が各種プログラムを実行する際のワークエリアとして機能し、制御部２１の制御のもとに、各種情報を一時記憶するとともに、記憶している各種情報を読み出す。
【００３２】
記憶部２４は、例えば、ハードディスクや、これらハードディスクを複数台用いていわゆるＲＡＩＤ（Redundant Arrays of Independent (Inexpensive) Disks）構成とした装置といった所定の記憶装置から構成される。記憶部２４は、制御部２１の制御のもとに、各種画像データや音声データをはじめとする各種情報を記憶するとともに、記憶している各種情報を読み出す。特に、記憶部２４は、後述するように、携帯電話端末機１０によって入力された検索条件を予約検索データベースとして登録する手段や、携帯電話端末機１０によって入力された検索条件としてのキーワードに関する情報を蓄積する手段として機能する。
【００３３】
通信部２５は、制御部２１の制御のもとに、図示しないゲートウェイサーバを介して携帯電話端末機１０との間で通信を行うとともに、インターネット網に接続されたウェブサーバ３０，・・・との間で通信を行う。具体的には、通信部２５は、携帯電話端末機１０からのアクセスに応じて、検索サイトのウェブページデータを当該携帯電話端末機１０に対して送信するとともに、当該携帯電話端末機１０から送信された情報を受信する。また、通信部２５は、ウェブサーバ３０，・・・が開設するウェブサイトを巡回することによって当該ウェブサーバ３０，・・・との間で情報の授受を行う。そして、通信部２５は、携帯電話端末機１０に対して検索結果を示すデータを送信する。特に、通信部２５は、後述するように、検索対象としてのウェブサイトを開設している複数のウェブサーバ３０，・・・にアクセスする手段として機能するとともに、登録された検索条件と合致又は類似する検索条件についての新たな検索結果が発見された場合に、その旨を携帯電話端末機１０に対して通知する手段として機能する。また、通信部２５は、後述するように、検索時に入力されたキーワードと関連性が高い過去に入力された他のキーワードが抽出されると、その統計情報を携帯電話端末機１０に対して送信する手段としても機能する。
【００３４】
なお、情報検索サーバ２０は、これら各部の他に、例えば当該情報検索サーバ２０を管理する管理者が操作を行うための操作部や各種情報を表示する表示部を備えてもよい。
【００３５】
このような情報検索サーバ２０は、制御部２１の制御のもとに、所定の情報検索プログラムを実行し、ウェブサーバ３０，・・・に開設されている携帯電話端末機１０によってアクセス可能なウェブサイトによって提供されるウェブページや携帯電話端末機用のコンテンツを検索する。
【００３６】
具体的には、情報検索サーバ２０は、例えば図３に示す一連の工程を経ることにより、携帯電話端末機１０のユーザが所望するウェブページやコンテンツを検索することができる。
【００３７】
まず、情報検索サーバ２０は、同図に示すように、ステップＳ１において、ロボットによってウェブサーバ３０，・・・が開設しているウェブサイトによって提供されるウェブページを巡回し、ステップＳ２において、あるウェブサイトによって提供される任意のウェブページにアクセスする。なお、情報検索サーバ２０は、ロボット型検索の手法として、いわゆるクロウラーやスパイダーといったロボットによる既存のものを用いることができる。
【００３８】
そして、情報検索サーバ２０は、ステップＳ３において、アクセスしたウェブページのＵＲＬと当該ウェブページ内に設けられている全てのＵＲＬリンクとを制御部２１の制御のもとに抽出する。そして、情報検索サーバ２０は、ウェブページを記述している言語の記述子であるいわゆるＨＴＭＬ（HyperText Markup Language）タグ及び／又はコンテンツを構成するファイルの拡張子に基づいて、画像データ、音声データ、動画像データ、及び／又はゲームアプリケーションプログラムといった、コンテンツの種別を制御部２１の制御のもとに判断する。具体的には、情報検索サーバ２０は、ＨＴＭＬによって記述されているウェブページを参照し、ＨＴＭＬタグとして、＜ａ＞が記述されている場合には"リンク"である旨を判断し、＜ｓｒｃ＞が記述されている場合には"画像データ"をリンクではなくそのまま掲載して表示させる旨を判断し、＜ｏｂｊｅｃｔ＞が記述されている場合には"動画像データやアプリケーションプログラム"をリンクではなく再生／実行可能に掲載している旨を判断する。また、情報検索サーバ２０は、コンテンツを構成するファイルの拡張子が"ｇｉｆ"、"ｊｐｇ"、"ｊｏｅｇ"、"ｐｎｇ"等である場合には"画像データ"がリンクされている旨を判断し、"ｍｌｄ"、"ｍｍｆ"等である場合には"音声データ"がリンクされている旨を判断し、"３ｇｐ"、"ａｍｃ"等である場合には"動画像データ"がリンクされている旨を判断し、"ｊａｍ"、"ｊａｄ"、"ｋｊｘ"等である場合には"アプリケーションプログラム"がリンクされている旨を判断する。
【００３９】
情報検索サーバ２０は、このようにしてコンテンツの種別を判断するとともに当該コンテンツの場所を示すＵＲＬを抽出すると、ステップＳ４において、抽出したＵＲＬによって示されるウェブページ内に記述されているキーワードであってコンテンツの特徴を示すキーワードを制御部２１の制御のもとに抽出する。具体的には、情報検索サーバ２０は、コンテンツとして芸能人やスポーツに関する待ち受け用の画像データを検索する場合には、ｈｔｔｐ：／／＊＊＊＊／＊＊＊＊で示されるウェブページ内に"芸能人"、"スポーツ"、"待ち受け"等の語句が記述されている場合には、これらの語句をキーワードとして抽出する。情報検索サーバ２０は、このようなキーワードの抽出を検索態様に応じて行う。すなわち、情報検索サーバ２０は、ウェブページそのものを検索する場合には、そのウェブページの特徴を示すキーワードを抽出し、コンテンツとしての画像データを検索する場合には、その画像データの特徴を示すキーワードを抽出し、コンテンツとしての音声データを検索する場合には、その音声データの特徴を示すキーワードを抽出し、コンテンツとしての動画像データを検索する場合には、その動画像データの特徴を示すキーワードを抽出し、コンテンツとしてのアプリケーションプログラムを検索する場合には、そのアプリケーションプログラムの特徴を示すキーワードを抽出する。
【００４０】
そして、情報検索サーバ２０は、キーワードを抽出すると、ステップＳ３にて抽出したＵＲＬと当該キーワードとを関連付け、ステップＳ５において、キーワードをインデックス化して検索インデックスを作成し、記憶部２４等にデータベースとして記憶する。
【００４１】
情報検索サーバ２０は、このような一連の処理を、検索対象としての全てのウェブサーバ３０，・・・を巡回して行い、作成した検索インデックスに基づいて、検索結果を示す情報を、通信部２５を介して携帯電話端末機１０に対して送信する。
【００４２】
このような情報検索サーバ２０による検索を行うために、当該情報検索サーバ２０は、携帯電話端末機１０によって閲覧可能な検索サイトを開設する。携帯電話端末機１０においては、この検索サイトにアクセスすることにより、例えば図４に示すようなウェブページが表示画面に表示される。このウェブページには、例えば、待ち受け用の画像データを検索するのか着信用の音声データを検索するのかといったように、検索するコンテンツの種別を含む検索態様を選択するための検索態様選択コンボボックス１０１と、検索キーワードを入力するためのキーワード入力ボックス１０２と、検索を開始するための検索開始ボタン１０３とが設けられる。
【００４３】
携帯電話端末機１０のユーザは、少なくとも、検索態様選択コンボボックス１０１を用いて検索態様を選択するとともに、キーワード入力ボックス１０２に対して所望のキーワードを入力することによって検索条件を指定する。なお、同図においては、キーワード"○○○○"を撮像した着信用のメロディや動画像データを検索する場合について示している。
【００４４】
そして、情報検索サーバ２０は、携帯電話端末機１０のユーザによって検索開始ボタン１０３が押下されるのに応じて、先に図３に示したような一連の処理を行い、検索条件に合致したウェブページやコンテンツを検索し、検索結果がある場合には、特に図示しないが、検索したコンテンツとしての音声データや動画像データのファイル名とこのコンテンツの特徴を示すキーワードとを対応付けた検索結果一覧リストからなるウェブページを、検索結果として携帯電話端末機１０の表示画面に表示させる。
【００４５】
ここで、情報検索サーバ２０は、上述したように、携帯電話端末機１０の表示画面に表示されたウェブページを介して入力された検索条件についての検索結果が０件であった場合等に対応するために、将来、登録された検索条件と合致又は類似する検索条件についての新たな検索結果が発見された場合にユーザに通知する予約検索機能を備える。
【００４６】
具体的には、情報検索サーバ２０は、入力された検索条件についての検索結果が０件であった場合には、例えば図５に示すようなウェブページを携帯電話端末機１０の表示画面に表示させる。このウェブページには、入力された検索条件についての検索結果が０件であった旨を示す情報とともに、予約検索の登録画面へと誘導するためのリンク情報１０４が設けられる。
【００４７】
情報検索サーバ２０は、携帯電話端末機１０のユーザによってリンク情報１０４が選択されるのに応じて、例えば図６に示すように、予約検索の内容について掲載したウェブページを携帯電話端末機１０の表示画面に表示させる。すなわち、このウェブページには、「予約検索に登録することにより、入力された検索条件に合致する新たな検索結果が発見された場合に、その旨をユーザの電子メールアドレス宛てに通知する」といった内容が掲載される。
【００４８】
そして、情報検索サーバ２０は、携帯電話端末機１０のユーザによって予約検索の登録を行うためのリンク情報１０５が選択されるのに応じて、例えば図７に示すようなログイン画面を示すウェブページを、携帯電話端末機１０の表示画面に表示させる。このウェブページには、既に電子メールアドレスの登録を行っているユーザがログインするためのログインボタン１０６と、新規に電子メールアドレスの登録を行うためのアドレス登録ボタン１０７とが設けられる。
【００４９】
情報検索サーバ２０は、携帯電話端末機１０のユーザによってアドレス登録ボタン１０７が押下されるのに応じて、電子メールアドレスの登録作業を行う。具体的には、情報検索サーバ２０は、例えば図８に示すように、電子メールアドレスの登録作業を行うための操作内容について掲載したウェブページを携帯電話端末機１０の表示画面に表示させる。情報検索サーバ２０は、ウェブページに設けられた空メール送信ボタン１０８が携帯電話端末機１０のユーザによって押下されるのに応じて当該携帯電話端末機１０から送信された本文を記載しない空メールを受信し、この空メールに基づいて、当該携帯電話端末機１０の電子メールアドレスを登録する。すなわち、情報検索システムにおいては、携帯電話端末機１０から情報検索サーバ２０に対して本文を記載しない空メールを送信することにより、当該携帯電話端末機１０の電子メールアドレスを登録することができる。そして、情報検索サーバ２０は、電子メールアドレスの登録を行うと、当該電子メールアドレス宛てに、予約検索の登録を行うためのウェブページへのリンク情報１０９が掲載された電子メールを送信することにより、例えば図９に示すような画面を携帯電話端末機１０の表示画面に表示させる。
【００５０】
なお、情報検索サーバ２０は、電子メールアドレスの登録に先立って、図７及び図８に示したウェブページに設けられる個人情報保護規約画面へのリンク情報１１０が携帯電話端末機１０のユーザによって選択されるのに応じて、例えば図１０に示すような個人情報保護規約の各項目を掲載したウェブページを当該携帯電話端末機１０の表示画面に表示させる。情報検索サーバ２０は、携帯電話端末機１０のユーザによってこのウェブページの各項目が選択されるのに応じて、例えば図１１乃至図１６に示すように、個人情報の内容、個人情報の収集、個人情報の利用目的、個人情報の開示、電子メールの取り扱い、予約検索の内容等の情報を掲載したウェブページを、当該携帯電話端末機１０の表示画面に表示させる。
【００５１】
情報検索サーバ２０は、図９に示した電子メールの画面に設けられたリンク情報１０９がユーザによって選択されるのに応じて、例えば図１７に示すようなウェブページを、携帯電話端末機１０の表示画面に表示させる。このウェブページには、予約検索を行う際に必要となるパスワードを入力するためのパスワード入力ボックス１１１と、ユーザの生年月日を選択するための生年月日選択コンボボックス１１２と、パスワードを忘却した場合のリマインダとしての複数の質問を選択するための質問選択コンボボックス１１３と、その質問に対する回答を入力するための回答入力ボックス１１４と、これらパスワード入力ボックス１１１、生年月日選択コンボボックス１１２、質問選択コンボボックス１１３、及び回答入力ボックス１１４に対して入力・選択した内容を登録するための登録ボタン１１５とが設けられる。
【００５２】
携帯電話端末機１０のユーザは、これら各項目について、入力・選択することによって登録内容を指定する。そして、情報検索サーバ２０は、携帯電話端末機１０のユーザによって登録ボタン１１５が押下されるのに応じて、例えば図１８に示すように、登録内容の確認を行うためのウェブページを当該携帯電話端末機１０の表示画面に表示させ、さらに、その内容で登録を行うべく当該携帯電話端末機１０のユーザによってＯＫボタン１１６が押下されるのに応じて、記憶部２４等に構成された予約検索データベースに電子メールアドレスを登録するとともに、例えば図１９に示すように、登録が完了して予約検索の実行が可能となった旨が掲載されたウェブページを当該携帯電話端末機１０の表示画面に表示させる。
【００５３】
情報検索システムにおいては、このようにして電子メールアドレスの登録が完了すると、予約検索を行う検索条件の登録を行う。具体的には、情報検索サーバ２０は、図１９に示すウェブページに設けられた予約検索を行う検索条件の登録を行うためのリンク情報１１７が携帯電話端末機１０のユーザによって選択されるのに応じて、又は先に図７に示したウェブページに設けられたログインボタン１０６携帯電話端末機１０のユーザによって押下されるのに応じて、例えば図２０に示すようなログイン認証画面を示すウェブページを、当該携帯電話端末機１０の表示画面に表示させる。このウェブページには、登録した電子メールアドレスを入力するためのアドレス入力ボックス１１８と、登録したパスワードを入力するためのパスワード入力ボックス１１９と、ユーザがログインするためのログインボタン１２０とが設けられる。
【００５４】
携帯電話端末機１０のユーザは、このような画面を介して、登録した電子メールアドレスとパスワードとを入力することによってログイン操作を行う。これに応じて、情報検索サーバ２０は、予約検索データベースにアクセスしてユーザの認証を行い、正当であるものと判定した場合には、当該予約検索データベースに登録されている電子メールアドレスに関する予約検索内容を読み出し、例えば図２１に示すように、既に登録されている検索条件等が掲載されたウェブページを、携帯電話端末機１０の表示画面に表示させる。なお、ここでは、既に２件の検索条件が登録されている場合を示している。勿論、新規に登録した場合には、このような検索条件は掲載されない。情報検索サーバ２０は、携帯電話端末機１０のユーザによって個々の検索条件が選択されるのに応じて、検索条件に合致したウェブページやコンテンツを検索し、検索結果がある場合には、例えば図２２に示すように、検索結果一覧リストからなるウェブページを、検索結果として携帯電話端末機１０の表示画面に表示させる。
【００５５】
また、図２１に示すウェブページには、新たな検索条件の種別を選択するための検索条件種別コンボボックス１２１と、検索条件のキーワードを入力するためのキーワード入力ボックス１２２とが設けられる。携帯電話端末機１０のユーザは、新たな検索条件を登録する場合には、これら検索条件の種別とキーワードとを選択・入力することによって登録内容を指定する。そして、情報検索サーバ２０は、携帯電話端末機１０のユーザによって登録ボタン１２３が押下されるのに応じて、記憶部２４等に構成された予約検索データベースに電子メールアドレスと対応付けて検索条件を登録するとともに、例えば図２３に示すように、新たに登録した検索条件が追加掲載されたウェブページを当該携帯電話端末機１０の表示画面に表示させる。
【００５６】
また、このウェブページには、個々の検索条件にを削除するための削除ボタン１２４が設けられており、情報検索サーバ２０は、携帯電話端末機１０のユーザによって削除ボタン１２４が押下されるのに応じて、例えば図２４に示すように、削除内容の確認を行うためのウェブページを当該携帯電話端末機１０の表示画面に表示させ、さらに、その内容の削除を行うべく当該携帯電話端末機１０のユーザによって実行ボタン１２５が押下されるのに応じて、記憶部２４等に構成された予約検索データベースから該当する検索条件を削除するとともに、例えば図２５に示すように、削除が完了した旨が掲載されたウェブページを当該携帯電話端末機１０の表示画面に表示させる。
【００５７】
このように、情報検索システムにおいては、所望の検索条件を予約検索対象として登録することができる。情報検索サーバ２０は、このような予約検索の登録がされた後、定期的にロボット型検索を行う。このとき、情報検索サーバ２０は、今回ロボット型検索を行う検索条件に基づいて、予約検索データベースから、当該検索条件と合致又は類似する等の関連する検索条件を抽出する。そして、情報検索サーバ２０は、ロボット型検索を行うことにより、抽出した検索条件に該当するウェブページやコンテンツを発見すると、その一覧を作成するとともに、抽出した検索条件を予約検索対象としている電子メールアドレス宛てに、例えば図２６に示すように、新たな検索結果が登録された旨が掲載された電子メールを送信する。
【００５８】
検索情報サーバ２０は、携帯電話端末機１０のユーザにより、受信した電子メールに設けられた、検索結果を閲覧するためのＵＲＬが記載されたリンク情報１２６が選択されるのに応じて、例えば図２７に示すように、検索結果一覧リストからなるウェブページを、検索結果として携帯電話端末機１０の表示画面に表示させる。
【００５９】
このように、情報検索システムにおいては、情報検索サーバ２０によって予約検索を行うことにより、入力された検索条件についての検索結果が０件であった場合であっても、後日、当該検索条件についての新たな検索結果が発見された場合に対応することができる。
【００６０】
なお、情報検索システムにおいては、入力された検索条件についての検索結果が０件であった場合に限らず、先に図４に示したウェブページを介した検索によって検索結果が発見された場合にも、例えば図２８に示すように、その検索結果とともに予約検索の登録画面へと誘導するためのリンク情報１２７を設けたウェブページを、携帯電話端末機１０の表示画面に表示させ、先に図６に示したウェブページへと遷移させるようにしてもよい。
【００６１】
また、情報検索システムにおいては、携帯電話端末機１０のユーザによって予約検索の登録を任意に解除することができる。具体的には、情報検索サーバ２０は、先に図２１及び図２３に示したウェブページに設けられた解除ボタン１２８が携帯電話端末機１０のユーザによって選択されるのに応じて、例えば図２９に示すように、登録した電子メールアドレスを入力するためのアドレス入力ボックス１２９と、登録したパスワードを入力するためのパスワード入力ボックス１３０とが設けられたウェブページを、携帯電話端末機１０の表示画面に表示させる。携帯電話端末機１０のユーザは、このウェブページを介して、電子メールアドレスとパスワードとを入力し、削除ボタン１３１を押下することにより、登録解除の意思表示を行う。これに応じて、情報検索サーバ２０は、予約検索データベースにアクセスしてユーザの認証を行い、不当であるものと判定した場合には、例えば図３０に示すようなエラー画面を示すウェブページを携帯電話端末機１０の表示画面に表示させる一方で、正当であるものと判定した場合には、例えば図３１に示すように、登録解除が完了した旨が掲載されたウェブページを当該携帯電話端末機１０の表示画面に表示させる。
【００６２】
また、携帯電話端末機１０のユーザは、パスワードを忘却した場合には、図２９に示したウェブページに設けられたリンク情報１３２を選択する。これに応じて、情報検索サーバ２０は、例えば図３２に示すように、電子メールアドレスを入力するためのアドレス入力ボックス１３３と、ユーザの生年月日を選択するための生年月日選択コンボボックス１３４と、パスワードを忘却した場合のリマインダとしての複数の質問を選択するための質問選択コンボボックス１３５と、その質問に対する回答を入力するための回答入力ボックス１３６とが設けられたウェブページを、携帯電話端末機１０の表示画面に表示させる。そして、情報検索サーバ２０は、このウェブページを介して、各項目について携帯電話端末機１０のユーザによって入力・選択され、決定ボタン１３７が押下されるのに応じて、予約検索データベースにアクセスし、先に図１７に示したウェブページを介して入力・選択されて予約検索データベースに登録されている情報との照合を行うことによってユーザの認証を行い、不当であるものと判定した場合には、例えば図３３に示すように、再入力を促す内容が掲載されたウェブページを、携帯電話端末機１０の表示画面に表示させる一方で、正当であるものと判定した場合には、予約検索データベースからパスワードを読み出し、例えば図３４に示すように、このパスワードが掲載されたウェブページを、当該携帯電話端末機１０の表示画面に表示させる。
【００６３】
さらに、携帯電話端末機１０のユーザは、リマインダの内容についても忘却した場合には、図３２に示したウェブページに設けられたリンク情報１３８を選択する。これに応じて、情報検索サーバ２０は、例えば図３５に示すように、空メール送信ボタン１３９が設けられたウェブページを携帯電話端末機１０の表示画面に表示させる。そして、情報検索サーバ２０は、この空メール送信ボタン１３９が携帯電話端末機１０のユーザによって押下されるのに応じて当該携帯電話端末機１０から送信された本文を記載しない空メールを受信し、この空メールに基づいて、予約検索データベースからパスワードを読み出し、例えば図３６に示すように、その電子メールアドレス宛てに、パスワードが掲載された電子メールを送信する。
【００６４】
このように、情報検索システムにおいては、携帯電話端末機１０のユーザによって予約検索の登録を任意に解除することができる。
【００６５】
なお、情報検索サーバ２０においては、当該情報検索サーバ２０を管理する管理者の操作のもとに、例えば図３７に示すような管理画面を表示部の表示画面に表示させることができる。すなわち、この管理画面は、所望の登録日時範囲に属する予約検索データベースの内容を書き出したものであり、登録された電子メールアドレスと、検索条件として登録されたキーワード及び検索種別と、登録日時とが対応付けられたものである。情報検索サーバ２０においては、このような管理画面を提供することにより、任意に予約検索内容を管理することが可能となるとともに、必要に応じて予約検索データベースのメンテナンスも行うことが可能となり、管理者の利便を向上させることができる。
【００６６】
さて、情報検索システムにおいては、ユーザの利便を向上させるために、このような予約検索機能の他に、上述したように、携帯電話端末機１０の表示画面に表示されたウェブページを介して入力されたキーワードに関する情報を情報検索サーバ２０によって蓄積し、検索時に入力されたキーワードと関連性が高い過去に入力された他のキーワードを抽出し、その統計情報を携帯電話端末機１０の表示画面に表示させることもできる。
【００６７】
具体的には、情報検索サーバ２０は、各ユーザによって検索条件が入力されて検索を行う際に、図３８に示すような一連の工程を経ることによって当該検索条件を収集する。
【００６８】
まず、情報検索サーバ２０は、同図に示すように、ステップＳ１１において、検索を行う際に、前回検索したキーワードと今回検索するキーワードとをＵＲＬに付加させる。これにより、アクセスされた各ウェブサーバ３０には、ステップＳ１２において、ステップＳ１１にて付加したＵＲＬの情報がアクセスログファイルとして残る。
【００６９】
そして、情報検索サーバ２０は、ステップＳ１３において、各ウェブサーバ３０のアクセスログファイルを日次で集計し、ステップＳ１４において、アクセスログファイルの集計結果をデータベースとして記憶部２４等に記憶し、一連の処理を終了する。
【００７０】
情報検索サーバ２０は、このようにして各ユーザによって入力された検索条件を収集した上で、携帯電話端末機１０からアクセスがあると、例えば図３９に示すように、検索するコンテンツの種別を含む検索態様を選択するための検索態様選択コンボボックス１４０と、検索キーワードを入力するためのキーワード入力ボックス１４１と、検索を開始するための検索開始ボタン１４２とが設けられたウェブページを、当該携帯電話端末機１０の表示画面に表示させる。そして、情報検索サーバ２０は、携帯電話端末機１０のユーザによって検索開始ボタン１４２が押下されるのに応じて、先に図３に示したような一連の処理を行い、検索条件に合致したウェブページやコンテンツを検索し、検索結果がある場合には、例えば図４０に示すように、検索結果一覧リストからなるウェブページを、検索結果として携帯電話端末機１０の表示画面に表示させる。
【００７１】
このとき、情報検索サーバ２０は、先に図３８に示したような一連の処理を行ってキーワードを収集して作成されたデータベースから、図３９に示したウェブページを介して入力されたキーワードに基づいて、当該キーワードと関連性が高い過去に入力された他のキーワードを抽出する。そして、情報検索サーバ２０は、抽出したキーワードの一覧を作成し、図４０中太線部で示すように、検索された回数が多い順序に並べ替えた上で、例えば上位３つのキーワードの一覧情報１５０をウェブページに掲載する。そして、情報検索サーバ２０は、携帯電話端末機１０のユーザによって一覧情報１５０を構成する個々のキーワードが選択されるのに応じて、当該キーワードを検索条件とするウェブページやコンテンツを検索し、検索結果がある場合には、例えば図４１に示すように、検索結果一覧リストとともに一覧情報１５０が掲載されたウェブページを、検索結果として携帯電話端末機１０の表示画面に表示させる。また、情報検索サーバ２０は、図４０及び図４１に示すウェブページに設けられたリンク情報１５１が携帯電話端末機１０のユーザによって選択されるのに応じて、例えば図４２に示すように、抽出された全てのキーワードの一覧が順位付けられて掲載されたウェブページを、当該携帯電話端末機１０の表示画面に表示させることもできる。
【００７２】
このように、情報検索システムにおいては、入力されたキーワードと関連性が高い過去に入力された他のキーワードを抽出し、その統計情報を携帯電話端末機１０の表示画面に表示させることにより、ユーザが考えたキーワード以外のキーワードを用いた検索を行う手がかりを提供することができる。したがって、情報検索システムにおいては、ユーザが他のユーザの検索動向を把握することが可能となるとともに、検索したい所望のウェブページやコンテンツを探し出すことができる確率を高めることができる。
【００７３】
以上説明したように、本発明の実施の形態として示す情報検索システムにおいては、情報検索サーバ２０による予約検索機能や、入力されたキーワードと関連性の高いキーワードの表示を行うことにより、従来にはない包括的な検索を実現することができ、ユーザの利便を格段に向上させることができる。
【００７４】
なお、本発明は、上述した実施の形態に限定されるものではない。例えば、上述した実施の形態では、予約検索対象としての検索条件についての新たな検索結果が発見された場合の対応について明記していないが、本発明は、例えば情報検索サーバ２０から登録された電子メールアドレス宛てに、所定の広告が掲載された電子メールを送信するようにしてもよい。
【００７５】
また、本発明は、携帯電話端末機１０の表示画面に表示させる検索サイトのウェブページとして、上述した画面構成以外のウェブページを表示させるようにしてもよい。
【００７６】
さらに、上述した実施の形態では、コンテンツの例示として、音声データ、画像データ、動画像データ、アプリケーションプログラムを挙げて説明したが、本発明は、携帯電話端末機によってダウンロード可能なコンテンツであれば、いかなるものであっても適用することができる。
【００７７】
このように、本発明は、その趣旨を逸脱しない範囲で適宜変更が可能であることはいうまでもない。
【図面の簡単な説明】
【００７８】
【図１】本発明の実施の形態として示す情報検索システムの構成を説明する図である。
【図２】同情報検索システムにおける情報検索サーバの構成を説明するブロック図である。
【図３】同情報検索システムにおける情報検索サーバによって検索を行う際の一連の工程を説明するフローチャートである。
【図４】同情報検索システムにおける携帯電話端末機の表示画面に表示される画面例を説明する図であって、情報検索サーバが開設する検索サイトにアクセスした際に表示されるウェブページの画面例を説明する図である。
【図５】同情報検索システムにおける携帯電話端末機の表示画面に表示される画面例を説明する図であって、入力された検索条件についての検索結果が０件であった場合に表示されるウェブページの画面例を説明する図である。
【図６】同情報検索システムにおける携帯電話端末機の表示画面に表示される画面例を説明する図であって、予約検索の内容について掲載したウェブページの画面例を説明する図である。
【図７】同情報検索システムにおける携帯電話端末機の表示画面に表示される画面例を説明する図であって、ログイン画面を示すウェブページの画面例を説明する図である。
【図８】同情報検索システムにおける携帯電話端末機の表示画面に表示される画面例を説明する図であって、電子メールアドレスの登録作業を行うための操作内容について掲載したウェブページの画面例を説明する図である。
【図９】同情報検索システムにおける携帯電話端末機の表示画面に表示される画面例を説明する図であって、予約検索の登録を行うためのウェブページへのリンク情報が掲載された電子メールの画面例を説明する図である。
【図１０】同情報検索システムにおける携帯電話端末機の表示画面に表示される画面例を説明する図であって、個人情報保護規約の各項目を掲載したウェブページの画面例を説明する図である。
【図１１】同情報検索システムにおける携帯電話端末機の表示画面に表示される画面例を説明する図であって、個人情報の内容について掲載したウェブページの画面例を説明する図である。
【図１２】同情報検索システムにおける携帯電話端末機の表示画面に表示される画面例を説明する図であって、個人情報の収集について掲載したウェブページの画面例を説明する図である。
【図１３】同情報検索システムにおける携帯電話端末機の表示画面に表示される画面例を説明する図であって、個人情報の利用目的について掲載したウェブページの画面例を説明する図である。
【図１４】同情報検索システムにおける携帯電話端末機の表示画面に表示される画面例を説明する図であって、個人情報の開示について掲載したウェブページの画面例を説明する図である。
【図１５】同情報検索システムにおける携帯電話端末機の表示画面に表示される画面例を説明する図であって、電子メールの取り扱いについて掲載したウェブページの画面例を説明する図である。
【図１６】同情報検索システムにおける携帯電話端末機の表示画面に表示される画面例を説明する図であって、予約検索の内容について掲載したウェブページの画面例を説明する図である。
【図１７】同情報検索システムにおける携帯電話端末機の表示画面に表示される画面例を説明する図であって、図９に示す電子メールの画面に設けられたリンク情報が選択されるのに応じて表示されるウェブページの画面例を説明する図である。
【図１８】同情報検索システムにおける携帯電話端末機の表示画面に表示される画面例を説明する図であって、登録内容の確認を行うためのウェブページの画面例を説明する図である。
【図１９】同情報検索システムにおける携帯電話端末機の表示画面に表示される画面例を説明する図であって、登録が完了して予約検索の実行が可能となった旨を掲載したウェブページの画面例を説明する図である。
【図２０】同情報検索システムにおける携帯電話端末機の表示画面に表示される画面例を説明する図であって、ログイン認証画面を示すウェブページの画面例を説明する図である。
【図２１】同情報検索システムにおける携帯電話端末機の表示画面に表示される画面例を説明する図であって、既に登録されている検索条件等を掲載したウェブページの画面例を説明する図である。
【図２２】同情報検索システムにおける携帯電話端末機の表示画面に表示される画面例を説明する図であって、検索結果一覧リストからなるウェブページの画面例を説明する図である。
【図２３】同情報検索システムにおける携帯電話端末機の表示画面に表示される画面例を説明する図であって、新たに登録した検索条件を追加掲載したウェブページの画面例を説明する図である。
【図２４】同情報検索システムにおける携帯電話端末機の表示画面に表示される画面例を説明する図であって、削除内容の確認を行うためのウェブページの画面例を説明する図である。
【図２５】同情報検索システムにおける携帯電話端末機の表示画面に表示される画面例を説明する図であって、削除が完了した旨を掲載したウェブページの画面例を説明する図である。
【図２６】同情報検索システムにおける携帯電話端末機の表示画面に表示される画面例を説明する図であって、新たな検索結果が登録された旨を掲載した電子メールの画面例を説明する図である。
【図２７】同情報検索システムにおける携帯電話端末機の表示画面に表示される画面例を説明する図であって、図２６に示す電子メールの画面に設けられたリンク情報が選択されるのに応じて表示されるウェブページの画面例を説明する図である。
【図２８】同情報検索システムにおける携帯電話端末機の表示画面に表示される画面例を説明する図であって、検索結果が発見された場合に表示されるウェブページの画面例を説明する図である。
【図２９】同情報検索システムにおける携帯電話端末機の表示画面に表示される画面例を説明する図であって、登録解除の意思表示を行うためのウェブページの画面例を説明する図である。
【図３０】同情報検索システムにおける携帯電話端末機の表示画面に表示される画面例を説明する図であって、エラー画面を示すウェブページの画面例を説明する図である。
【図３１】同情報検索システムにおける携帯電話端末機の表示画面に表示される画面例を説明する図であって、登録解除が完了した旨を掲載したウェブページの画面例を説明する図である。
【図３２】同情報検索システムにおける携帯電話端末機の表示画面に表示される画面例を説明する図であって、パスワードを忘却した場合に表示されるウェブページの画面例を説明する図である。
【図３３】同情報検索システムにおける携帯電話端末機の表示画面に表示される画面例を説明する図であって、再入力を促す内容を掲載したウェブページの画面例を説明する図である。
【図３４】同情報検索システムにおける携帯電話端末機の表示画面に表示される画面例を説明する図であって、パスワードを掲載したウェブページの画面例を説明する図である。
【図３５】同情報検索システムにおける携帯電話端末機の表示画面に表示される画面例を説明する図であって、リマインダの内容について忘却した場合に表示されるウェブページの画面例を説明する図である。
【図３６】同情報検索システムにおける携帯電話端末機の表示画面に表示される画面例を説明する図であって、パスワードを掲載した電子メールの画面例を説明する図である。
【図３７】同情報検索システムにおける情報検索サーバの表示画面に表示される管理画面の例を説明する図である。
【図３８】同情報検索システムにおける情報検索サーバによって検索条件を収集する際の一連の工程を説明するフローチャートである。
【図３９】同情報検索システムにおける携帯電話端末機の表示画面に表示される画面例を説明する図であって、情報検索サーバが開設する検索サイトにアクセスした際に表示されるウェブページの画面例を説明する図である。
【図４０】同情報検索システムにおける携帯電話端末機の表示画面に表示される画面例を説明する図であって、検索結果一覧リストや一覧情報を掲載したウェブページの画面例を説明する図である。
【図４１】同情報検索システムにおける携帯電話端末機の表示画面に表示される画面例を説明する図であって、図４０に示す一覧情報を構成する個々のキーワードが選択されるのに応じて表示されるウェブページの画面例を説明する図である。
【図４２】同情報検索システムにおける携帯電話端末機の表示画面に表示される画面例を説明する図であって、抽出された全てのキーワードの一覧を順位付けて掲載したウェブページの画面例を説明する図である。
【符号の説明】
【００７９】
１０  携帯電話端末機
２０  情報検索サーバ
２１  制御部
２２  ＲＯＭ
２３  ＲＡＭ
２４  記憶部
２５  通信部
３０，・・・  ウェブサーバ
【図１】
2006189978.tif 000003
【図２】
2006189978.tif 000004
【図３】
2006189978.tif 000005
【図４】
2006189978.tif 000006
【図５】
2006189978.tif 000007
【図６】
2006189978.tif 000008
【図７】
2006189978.tif 000009
【図８】
2006189978.tif 000010
【図９】
2006189978.tif 000011
【図１０】
2006189978.tif 000012
【図１１】
2006189978.tif 000013
【図１２】
2006189978.tif 000014
【図１３】
2006189978.tif 000015
【図１４】
2006189978.tif 000016
【図１５】
2006189978.tif 000017
【図１６】
2006189978.tif 000018
【図１７】
2006189978.tif 000019
【図１８】
2006189978.tif 000020
【図１９】
2006189978.tif 000021
【図２０】
2006189978.tif 000022
【図２１】
2006189978.tif 000023
【図２２】
2006189978.tif 000024
【図２３】
2006189978.tif 000025
【図２４】
2006189978.tif 000026
【図２５】
2006189978.tif 000027
【図２６】
2006189978.tif 000028
【図２７】
2006189978.tif 000029
【図２８】
2006189978.tif 000030
【図２９】
2006189978.tif 000031
【図３０】
2006189978.tif 000032
【図３１】
2006189978.tif 000033
【図３２】
2006189978.tif 000034
【図３３】
2006189978.tif 000035
【図３４】
2006189978.tif 000036
【図３５】
2006189978.tif 000037
【図３６】
2006189978.tif 000038
【図３７】
2006189978.tif 000039
【図３８】
2006189978.tif 000040
【図３９】
2006189978.tif 000041
【図４０】
2006189978.tif 000042
【図４１】
2006189978.tif 000043
【図４２】
2006189978.tif 000044